【手続補正書】
【提出日】平成17年9月7日(2005.9.7)
【手続補正１】
【補正対象書類名】明細書
【補正対象項目名】全文
【補正方法】変更
【補正の内容】
【書類名】  明細書
【発明の名称】  グラフィカルユーザインタフェース表示装置
【特許請求の範囲】
【請求項１】
表示画面と、
上記表示画面に表示されたグラフィカルユーザインタフェースを構成する互いに異なる複数のグラフィックイメージを移動するための移動手段と、
上記移動手段からの信号に基づいて、上記複数のグラフィックイメージを移動するとともに、上記表示画面の所定の位置に移動したグラフィックイメージを、他の位置のグラフィックイメージよりも大きく表示するマイクロプロセッサとを備えるグラフィカルユーザインタフェース表示装置。
【請求項２】
上記マイクロプロセッサは、上記複数のグラフィックイメージを上記表示画面の所定の位置から離れるに従って次第に小さく表示することを特徴とする請求項１記載のグラフィカルユーザインタフェース表示装置。
【請求項３】
上記表示画面の所定の位置は、表示画面の上下方向における中央の位置であり、上記移動手段は、上記複数のグラフィックイメージを表示画面の上下方向に移動するためのものであることを特徴とする請求項１又は２記載のグラフィカルユーザインタフェース表示装置。
【請求項４】
様々な大きさのフォントを記憶したＲＯＭを備え、
上記マイクロプロセッサは、上記移動手段からの信号に基づき、上記ＲＯＭからフォントを読み出して、上記表示画面に表示することを特徴とする請求項１乃至３記載のグラフィカルユーザインタフェース表示装置。
【請求項５】
選択手段を備え、
上記ＲＯＭには、上記複数のグラフィックイメージに対応したプログラムが記憶されており、上記マイクロプロセッサは、上記選択手段からの信号に基づいて、上記所定の位置に表示しているグラフィックイメージを選択し、該選択したグラフィックイメージに対応したプログラムを実行することを特徴とする請求項４記載のグラフィカルユーザインタフェース表示装置。
【請求項６】
複数のグラフィックイメージから構成されるグラフィカルユーザインタフェースを表示画面に表示するグラフィカルユーザインタフェース表示方法において、
上記複数のグラフィックイメージの１つを、上記表示画面の所定の位置に、他のグラフィックイメージよりも大きく表示するステップと、
移動手段からの信号に基づいて、上記複数のグラフィックイメージを移動して、上記表示画面の所定の位置から他の位置に移動したグラフィックイメージを小さくし、該所定の位置に移動してきたグラフィックイメージを大きく表示するステップとを有するグラフィカルユーザインタフェース表示方法。
【請求項７】
上記複数のグラフィックイメージを表示画面の所定の位置から離れるに従って次第に小さく表示することを特徴とする請求項６記載のグラフィカルユーザインタフェース表示方法。
【請求項８】
上記表示画面の所定の位置は、表示画面の上下方向における中央の位置であり、上記移動手段は、上記複数のグラフィックイメージを表示画面の上下方向に移動するためのものであることを特徴とする請求項６又は７記載のグラフィカルユーザインタフェース表示方法。
【請求項９】
ＲＯＭから上記移動手段からの信号に基づいた大きさのフォントを読み出して、上記表示画面に表示することを特徴とする請求項６乃至８記載のグラフィカルユーザインタフェース表示方法。
【請求項１０】
上記ＲＯＭには、上記複数のグラフィックイメージに対応したプログラムが記憶されており、選択手段からの信号に基づいて、上記所定の位置に表示しているグラフィックイメージを選択し、該選択したグラフィックイメージに対応したプログラムを実行するステップを有する請求項９記載のグラフィカルユーザインタフェース表示方法。
【発明の詳細な説明】
【０００１】
【発明の属する技術分野】
本発明は、表示画面上におけるグラフィカルユーザインタフェースに関し、特に、コントロールデバイスを用いて表示画面上でグラフィックイメージの操作を可能にするグラフィカルユーザインタフェースに関する。
【０００２】
【従来の技術】
表示画面と、オンスクリーンメニューと、コントロールデバイスとを備える機器において、ユーザは、オンスクリーンメニューを一覧し、メニューの中から所望の項目を決定し、コントロールデバイスを操作して所望の項目にカーソルに合わせ、その項目をエントリすることにより、そのオンスクリーンメニューと会話する。
【０００３】
このような機器としては、携帯無線電話機があり、携帯無線電話機では、例えば、小型の液晶表示画面上に文字を基礎としたインタフェースとして表示されるオンスクリーンメニューと、そのオンスクリーンメニューをスクロールし、所望のメニュー項目をエントリして、そのメニュー項目の機能を実行させるためのジョグダイヤルコントロールデバイスとを用いている。
【０００４】
この小型の液晶表示画面には、数行の文字列、典型的には２行の文字列を表示するようになっている。このメニューには、名前及び電話番号を入力するとともに、それらを表示する電話帳機能があり、電話帳を閲覧して１つのエントリを選択し、その選択されたエントリの電話番号に電話をかけることができるようになっている。また、携帯無線電話機には、ポケットベルの受信、双方向ポケットベルにおける送信又は電子メール等の短いメッセージの送信等の他の機能が含まれている場合もある。
【０００５】
しかしながら、このような機器では、小型の表示画面上には、限られた数のエントリのみであって、文字中心の情報しか表示されず、ユーザは、何度もメニューのエントリや機能を選択する必要がある。表示されている項目の中に所望の項目があり、ユーザはその所望の項目にカーソルに合わせて選択するだけでよい場合もあるが、一度に表示できないほど多くの項目から所望の１つの項目を選択する場合は、ユーザはより複雑な操作を行わなければならない。
【０００６】
【発明が解決しようとする課題】
本発明は、上述した実情に鑑みてなされたものであり、本発明の目的は、ユーザが、表示画面においてグラフィカルユーザインタフェースを一覧でき、これを直観的に認識して操作でき、コントロールデバイスの動作に対応したインタフェースの動作を一覧することができるグラフィカルユーザインタフェース表示装置を提供することである。
【０００７】
【課題を解決するための手段】
本発明に係るグラフィカルユーザインタフェース表示装置は、表示画面と、表示画面に表示されたグラフィカルユーザインタフェースを構成する互いに異なる複数のグラフィックイメージを移動するための移動手段と、移動手段からの信号に基づいて、複数のグラフィックイメージを移動するとともに、表示画面の所定の位置に移動したグラフィックイメージを、他の位置のグラフィックイメージよりも大きく表示するマイクロプロセッサとを備える。
また、本発明に係るグラフィカルユーザインタフェース表示方法は、複数のグラフィックイメージから構成されるグラフィカルユーザインタフェースを表示画面に表示するグラフィカルユーザインタフェース表示方法において、複数のグラフィックイメージの１つを、表示画面の所定の位置に、他のグラフィックイメージよりも大きく表示するステップと、移動手段からの信号に基づいて、複数のグラフィックイメージを移動して、表示画面の所定の位置から他の位置に移動したグラフィックイメージを小さくし、所定の位置に移動してきたグラフィックイメージを大きく表示するステップとを有する。
このようなグラフィカルユーザインタフェース表示装置及び方法では、ユーザが、複数のグラフィックイメージをそれぞれ、所望のグラフィックイメージとして表示する領域の内外に移動させることによって、表示画面の複数のグラフィックイメージから所望のグラフィックイメージを際立たせて選択できる等、表示画面上で複数のグラフィックイメージを操作することができる。
【０００８】
【発明の実施の形態】
以下、本発明に係るグラフィカルユーザインタフェース表示装置及び方法について、図面を参照しながら説明する。
【０００９】
本発明を適用したグラフィカルユーザインタフェース表示装置１０では、図１乃至図６に示すように、ユーザは、表示画面１４上の複数のグラフィックイメージ１２の中から所望のグラフィックイメージ１６を際立たせて選択することができる。このグラフィカルユーザインタフェース表示装置１０においては、複数のグラフィックイメージ１２をそれぞれ、所望のグラフィックイメージ１６として表示する選択領域２６の内外に移動させることができる。各グラフィックイメージ１２は、１つ１つ他と異なるものである。グラフィックイメージ１２は、アルファベットの画像、数字の画像、アイコン等からなる。例えばビットマップ表示装置の画面に表示されたグラフィカルユーザインタフェース（以下、ＧＵＩという。）１８は、複数のグラフィックイメージ１２を有し、表示画面１４に複数のグラフィックイメージ１２の配列２０を表示する。ＧＵＩ１８は、複数のグラフィックイメージ１２と所望のグラフィックイメージ１６とからなるメニュー２２を有する。表示画面１４に表示されるグラフィックイメージ１２の配列２０は、例えば少なくとも５行のグラフィックイメージ１２からなり、好ましくは７行のグラフィックイメージ１２からなる。メニュー２２は、スクロール可能であり、３次元的に見え、円柱状の回転体のように見える。カーソル２４は、ＧＵＩ１８の中の選択領域２６に移動されたグラフィックイメージ１２を、所望のグラフィックイメージ１６として際立たせる役割を果たす。ジョグダイヤル２８は、回転したり、押したりすることができ、回転することによって、複数のグラフィックイメージ１２をそれぞれ、所望のグラフィックイメージ１６として表示する選択領域２６の内外に移動させることができ、また押すことによって、表示画面１４で所望のグラフィックイメージ１６を選択することができる。ジョグダイヤル２８を回転させると、それに対応して表示画面１４におけるグラフィックイメージ１２が上下に移動する。
【００１０】
グラフィカルユーザインタフェース表示装置１０によって、ユーザは、複数のグラフィックイメージ１２と所望のグラフィックイメージ１６とを区別することができ、また複数のグラフィックイメージ１２のうちの１つを所望のグラフィックイメージ１６として際立たせて選択することができる。例えば、複数のグラフィックイメージ１２のうちの１つを、所望のグラフィックイメージ１６として表示する選択領域２６に移動させて、このグラフィックイメージ１２を他のグラフィックイメージ１２より大きく表示する。このように大きく表示することで、ユーザは、個々のグラフィックイメージ１２同士が元々互いに異なるという区別に加えて、所望のグラフィックイメージ１６と他のグラフィックイメージ１２とを区別することができ、また所望のグラフィックイメージ１６を際立たせることができる。本発明の実施の形態では、所望のグラフィックイメージ１６として表示する選択領域２６に移動されたグラフィックイメージ１２のフォントサイズは、他のグラフィックイメージ１２よりも大きい。なお、フォントサイズに差を付ける他の方法として、所望のグラフィックイメージ１６として表示する選択領域２６に移動されたグラフィックイメージ１２のフォントの高さを、他のグラフィックイメージ１２のフォントの高さよりも高くしてもよい。また、例えば、メニュー２２は、所望のグラフィックイメージ１６の背景の色と他のグラフィックイメージ１２の背景の色が異ならせて表示され、これによって、ユーザがこれらを区別できるようにしてもよい。
【００１１】
また、グラフィカルユーザインタフェース表示装置１０によって、ユーザは、表示画面１４に表示された複数のグラフィックイメージ１２の配列２０を一覧することができ、これにより、ユーザは、メニュー２２における項目を上下に移動させて、グラフィックイメージ１２の配列２０のうちの１行を、所望のグラフィックイメージ１６として表示する選択領域２６に移動させ、この選択されたグラフィックイメージ１２を、所望のグラフィックイメージ１６として際立たせて、選択することができる。本発明の実施の形態では、所望のグラフィックイメージ１６以外のグラフィックイメージ１２のフォントサイズは、所望のグラフィックイメージ１６から離れるに従って順次小さくなっており、このため、ユーザは、表示画面１４のグラフィックイメージの配列２０を一覧することができる。なお、フォントサイズに差を付けるのに、所望のグラフィックイメージ１６のフォントの高さと他のグラフィックイメージ１２のフォントの高さとを変えて、グラフィックイメージ１２のフォントの高さを、所望のグラフィックイメージ１６から離れるに従って順次低くするようにしてもよい。
【００１２】
表示画面１４は、ＧＵＩ１８を表示するために、例えばビットマップ表示装置の画面からなる。また、表示画面１４は、例えば、液晶表示装置の画面でも、カラー表示画面であってもよい。所望のグラフィックイメージ１６は、例えば表示画面１４の略中央に位置している。複数のグラフィックイメージ１２のうちの１つが、所望のグラフィックイメージ１６として表示する選択領域２６の外に移動されると、この選択領域２６の隣の位置に移動される。メニュー２２は、複数の領域からなり、各領域にグラフィックイメージ１２がそれぞれ表示される。メニュー２２は、図２乃至図４の各画面表示に示すように、異なる複数のグラフィックイメージ１２及び所望のグラフィックイメージ１６が表示される。例えば図４に示すように、表示画面１４には、ヘッダのグラフィックイメージ３２も表示される。
【００１３】
カーソル２４は、例えば、所望のグラフィックイメージ１６を囲む外枠３４からなるが、所望のグラフィックイメージ１６を、例えば光らせることによって所望のグラフィックイメージ１６を際立たせてもよい。所望のグラフィックイメージ１６の選択領域２６は、好ましくは上述したように、表示画面１４の略中央に位置するのが望ましい。
【００１４】
ジョグダイヤル２８は、回転させると、それに対応して表示画面１４におけるグラフィックイメージ１２が上下に移動し、押すと、所望のグラフィックイメージ１６が選択される。ジョグダイヤル２８は、小型の表示画面１４がその正面に設けられた、例えば無線電話機３６の側面に設けられており、ユーザは、親指でジョグダイヤル２８を操作できるようになっている。また、例えば、ジョグダイヤル２８を無線電話機３６の背面に設けて、ユーザが人差し指でジョグダイヤル２８を操作できるようにしてもよい。
【００１５】
無線電話機３６は、電話番号のダイヤル機能、ポケットベル機能、メッセージ送信機能等の複数の機能を有する。無線電話機３６には、例えば受信信号のレベルをグラフィカルに示す電波状態表示３８、電池の残量を示す電池電圧レベル表示４０が表示される、更に、様々な機能に直接アクセスできるグラフィックイメージ（図示せず）を表示するようにしてもよい。また、メニュー２２に表示された複数のグラフィックイメージ１２及び所望のグラフィックイメージ１６は、それぞれの機能に直接アクセスするため、又はその機能にアクセスするための新たなメニュー２２にアクセスするためのものである。ユーザは、無線電話機３６を片手で持つことができ、１本の指でジョグダイヤル２６を操作することができる。
【００１６】
操作に関しては、例えば、ユーザは、無線電話機３６を片手で持つことができ、１本の指でジョグダイヤル２６を操作することができ、電源スイッチ（図示せず）を投入することによって無線電話機３６を起動することができる。電源スイッチを入れることによって、ビットマップ画面からなる液晶の表示画面１４に、ＧＵＩ１８を表示させ、例えば図１に示すように、日時を表示したり、受信信号のレベルを示す電波状態表示３８、電池の電圧レベルを示す電池電圧レベル表示４０を表示する。
【００１７】
図２に示すように、次画面をアクセスすると、グラフィックイメージ１２及び所望のグラフィックイメージ１６を含むメニュー２２が、表示画面１４に表示される。所望のグラフィックイメージ１６のフォントの高さは、他のグラフィックイメージ１２のフォントの高さよりも高くなっており、所望のグラフィックイメージ１６が、表示画面１４における複数のグラフィックイメージ１２の中で最も大きく表示される。図２乃至図６に示すように、所望のグラフィックイメージ１６を際立たせて、ユーザが、所望のグラフィックイメージ１６を他のグラフィックイメージ１２から区別できるようにようになっている。また、グラフィックイメージ１２のフォントサイズは、所望のグラフィックイメージ１６から離れるに従って小さくなっており、これにより、ユーザは、グラフィックイメージ１２の配列２０のうちの１行を所望のグラフィックイメージ１６として際立たせることができる。所望のグラフィックイメージ１６は、メニュー２２における表示画面１４の略中央に位置するカーソル２４によって囲まれた選択領域２６内に移動されて選択される。
【００１８】
ジョグダイヤル２８を回転させると、それに対応してメニュー２２における項目が上下に移動する。メニュー２２は、スクロール可能であり、３次元における円柱状の回転体のように見え、所望のグラフィックイメージ１６として表示する選択領域２６内からあるグラフィックイメージ１２を移動させて、代わりにその隣にあったグラフィックイメージ１２を、所望のグラフィックイメージ１６として表示する選択領域２６内に移動させるようにする。ジョグダイヤル２８を押すことで、所望のグラフィックイメージ１６が選択され、所望のグラフィックイメージ１６が有する機能にアクセスすることができる。例えば、「電話帳」が所望のグラフィックイメージ１６となっている画面でジョグダイヤル２８を押すと、「電話帳」画面にアクセスできる。次に、図２に示すように、「マイケルフィリップス」が所望のグラフィックイメージ１６となっている画面でジョグダイヤル２８を押すと、図３に示すように、「マイケルフィリップス」というヘッダのグラフィックイメージ３２が表示される画面にアクセスできる。そして、この画面でジョグダイヤル２８を押すと、無線電話機３６のダイヤル機能にアクセスでき、メニュー２２の所望のグラフィックイメージ１６の電話番号に電話をかけることができる。
【００１９】
ところで、上述したＧＵＩ１８の表示、グラフィックイメージ１２の移動及び選択等の各種の機能は、無線電話機３６に内蔵されているマイクロプロセッサ（図示せず）が、ジョグダイヤル２８の操作に応じた信号に基づき、ＲＯＭ（図示せず）に記憶されているフォント及びプログラムを実行することにより、実現される。
【００２０】
なお、上述した実施の形態では、本発明を適用した携帯電話機について説明したが、本発明は、この実施の形態に限定されるものではなく、例えば、小さな表示画面を用いた各種の電子機器に適用できることは言うまでもない。
【００２１】
【発明の効果】
グラフィカルユーザインタフェース表示装置１０は、グラフィカルユーザインタフェースを構成する複数のグラフィックイメージ１２を表示画面１４に表示する。ユーザはジョグダイヤル２８を用いて１つのグラフィックイメージ１２を選択領域２６内に移動させるとともに、選択する。このとき、選択領域２６に表示された所望のグラフィックイメージ１６と他のグラフィックイメージ１２は区別できるようにフォントサイズが異なって表示される。これにより、ユーザは、表示画面においてグラフィカルユーザインタフェースを一覧でき、これを直観的に認識して操作できる。また、ユーザは、表示画面においてグラフィカルユーザインタフェースのグラフィックイメージの配列を一覧することができるとともに、グラフィックイメージを操作してオンスクリーンメニューの中から所望のグラフィックイメージを際立たせて選択することができる。
【図面の簡単な説明】
【図１】
本発明を適用した無線電話機の表示画面に表示された複数のグラフィックイメージを示す図である。
【図２】
上記表示画面の選択領域に１つのグラフィックイメージを移動して表示した具体例を示す図である。
【図３】
上記表示画面の選択領域に１つのグラフィックイメージを移動して表示するとともに、ヘッダを表示した具体例を示す図である。
【図４】
上記表示画面の選択領域に１つのグラフィックイメージを選択した具体例を示す図である。
【図５】
上記表示画面の選択領域にフォントの高さを異ならしめてグラフィックイメージを表示した具体例を示す図である。
【図６】
上記表示画面の選択領域にフォントの高さを異ならしめてグラフィックイメージを表示するとともに、ヘッダを表示した具体例を示す図である。
【符号の説明】
１０  グラフィカルユーザインタフェース表示装置、１２  複数のグラフィックイメージ、１４  表示画面、１６  所望のグラフィックイメージ、１８  ＧＵＩ、２０  配列、２２  メニュー、２４  カーソル、２６  選択領域、２８  ジョグダイヤル、３４  外枠、３６  無線電話機